(57)【要約】【課題】室内の空気を殺菌して循環する天井扇を提供する。【解決手段】室内の天井から吊り下げられた支持体２と、前記支持体を軸に回転可能なファンモーターと３、前記支持体２には天井面に向かって紫外線を照射する紫外線照射手段４を備えた天井扇であり、前記ファンモーター３の運転によって室内空気を循環し、前記紫外線照射手段４から発せられる紫外線を前記循環する空気に照射することにより室内全体の空気殺菌を行うことを特徴とする天井扇。【選択図】図１
2007232323.tif 000002
【特許請求の範囲】
【請求項１】
室内の天井から吊り下げられた支持体と、前記支持体を軸に回転可能なファンモーターと、紫外線を照射する紫外線照射手段を備えた天井扇であり、前記ファンモーターの運転によって循環される室内の空気を前記紫外線照射手段から照射される紫外線によって殺菌することを特徴とする天井扇。
【請求項２】
前記紫外線照射手段は天井面に向かって紫外線を照射することを特徴とした請求項１記載の天井扇。
【請求項３】
人検知手段を備え、室内に人が入室している場合は紫外線照射を停止することを特徴した請求項１または２記載の天井扇。
【請求項４】
前記紫外線照射手段はオゾン生成線とオゾンレス線を選択し照射することを特徴した請求項１、２または３記載の天井扇。
【請求項５】
前記紫外線照射手段によってオゾンを発生し室内に循環させることを特徴とした請求項１、２、３または４記載の天井扇。
【請求項６】
室内に人が入室していないと判断した場合はオゾンを発生させて室内全体に行き渡すことを特徴とした請求項１、２、３、４または５記載の天井扇。
【請求項７】
室内の空気中にオゾンを検出した場合はオゾンレス線を照射することを特徴とする請求項１、２、３、４、５または６記載の天井扇。
【請求項８】
前記ファンモーターの回転数を制御し、空気に触れる紫外線照射量を調整することを特徴した請求項１、２、３、４、５、６または７記載の天井扇。
【請求項９】
光触媒を塗布した支持体、ファン、ケーシングを備えたことを特徴とする請求項項１、２、３、４、５、６、７または８記載の天井扇。
【請求項１０】
ガス検知手段を備え、室内のカビやほこり、有害な気体を検知した場合は紫外線を照射することを特徴とする請求項１、２、３、４、５、６、７、８または９記載の天井扇。
【請求項１１】
前記紫外線照射手段は紫外線を発光するＬＥＤであることを特徴とする請求項１、２、３、４、５、６、７、８、９または１０記載の天井扇。
【請求項１２】
紫外線を吸収して発光する支持体、ファン、ケーシングを備えたことを特徴とする請求項１、２、３、４、５、６、７、８、９、１０または１１記載の天井扇。
【発明の詳細な説明】
【技術分野】
【０００１】
本発明は、室内の空気を循環する天井扇に関するものである。
【背景技術】
【０００２】
近年、紫外線やオゾンを利用して室内の空気を殺菌する技術が確立され、換気扇のように室内外の空気の循環を目的とした機器にそうした技術を付加する検討がされている。そうした機器は主に外気を給気する際か、もしくは室内の空気を一旦室内から排気して再度室内に循環する際に殺菌する方法がとられている。このような機器、システムとして、例えば特許文献１、特許文献２に示されるものが知られている。
【０００３】
以下、その、空調システムについて図１１を参照しながら説明する。
【０００４】
図１１に示すように、空調システム１０２はクリーンルーム１０３における空気の循環および換気を行っている。また循環と排気を行う際は循環ダクト１０４及び給気ダクト１０５内で紫外線照射装置１０６によって紫外線照射され、また抗菌剤噴霧装置１０７で抗菌剤が噴霧されるので、空気中の浮遊菌を紫外線殺菌するとともにクリーンルームに抗菌剤が撒布されて室内を抗菌雰囲気に保持することができる。
【特許文献１】特開２００５−１０６２９６号公報
【特許文献２】特開２００５−２６５３９９号公報
【発明の開示】
【発明が解決しようとする課題】
【０００５】
このような従来の給気時と排気時に殺菌を行う機器では、給気された空気は常に排気口に吸い寄せられて流れるため、室内の角や隅に溜まった空気や室内の下層に溜まった空気などを殺菌することが難しいといった課題がある。
【０００６】
本発明は上記課題を解決するもので、室内の角や隅に溜まった空気や下層に溜まった空気をくまなく循環し空気殺菌を行うことが可能であり、近年増加しているハウスシック症候群対策やホルムアルデヒト対策に適した天井扇を提供することを目的としている。
【課題を解決するための手段】
【０００７】
本発明の天井扇は上記の目的を達成するために、室内の天井から吊り下げられた支持体と、前記支持体を軸に回転可能なファンモーターと、紫外線を照射する紫外線照射手段を備えた天井扇であり、前記ファンモーターの運転によって循環される室内の空気を前記紫外線照射手段から照射される紫外線によって殺菌する構成としたものである。
【０００８】
この手段により室内の空気全体を殺菌することが可能な天井扇を構成できる。
【０００９】
また本発明の天井扇の他の手段は、前記紫外線照射手段は天井面に向かって紫外線を照射する構成としたものである。
【００１０】
この手段によりファンを通過する空気に対して集中的に紫外線を照射し空気殺菌を行うことが可能な天井扇を構成できる。
【００１１】
また本発明の天井扇の他の手段は、人検知手段を備え、室内に人が入室している場合は紫外線照射を停止する構成としたものである。
【００１２】
この手段により室内に人がいる場合は、紫外線照射手段の発光によって室内が明るくなることを防止し、就寝時などの人の眠りを妨げない天井扇を構成できる。
【００１３】
また本発明の天井扇の他の手段は、前記紫外線照射手段はオゾン生成線とオゾンレス線を選択し照射する構成としたものである。
【００１４】
この手段によりオゾンを分解しかつ空気殺菌可能なオゾンレス線と、オゾンを発生することが可能なオゾン生成線を状況に応じて使い分けることができる天井扇を構成できる。
【００１５】
また本発明の天井扇の他の手段は、前記紫外線照射手段によってオゾンを発生し室内に循環させる構成としたものである。
【００１６】
この手段によりオゾン生成線によってオゾンを発生させ、室内の消臭やカビ、ダニ、ウイルス等の殺菌を行うことができる天井扇を構成できる。
【００１７】
また本発明の天井扇の他の手段は、室内に人が入室していないと判断した場合はオゾンを発生させて室内全体に行き渡す構成としたものである。
【００１８】
この手段によりオゾンを利用して室内の殺菌と脱臭、害虫の駆除等を行うことが可能な天井扇を構成できる。
【００１９】
また本発明の天井扇の他の手段は、室内の空気中にオゾンを検出した場合はオゾンレス線を照射する構成としたものである。
【００２０】
この手段により室内中にオゾンを検出した場合はオゾンレス線をオゾンに照射し、オゾンを分解することが可能な天井扇を構成できる。
【００２１】
また本発明の天井扇の他の手段は、紫外線を照射する際はファンモーターの回転数を制御し、空気に触れる紫外線の照射量を調整する構成としたものである。
【００２２】
この手段によりファンの回転数を制御して循環する空気の流速を変化させ、空気に対する紫外線照射量を調整することが可能な天井扇を構成できる。
【００２３】
また本発明の天井扇の他の手段は、光触媒を塗布した支持体、ファン、ケーシングを備えた天井扇としたものである。
【００２４】
この手段により紫外線を照射するたびに支持体、ファン、ケーシングの抗菌と除菌が可能な天井扇を構成でき、またホルムアルデヒトを無害化することも期待できる。
【００２５】
また本発明の天井扇の他の手段は、ガス検知手段を備え、室内のカビやほこり、有害な気体を検知した場合は紫外線を照射する構成としたものである。
【００２６】
この手段により空気中に舞う菌やカビ、またホルムアルデヒトと言った有害な気体をガス検知手段により検出し、それらの殺菌を行うことが可能な天井扇を構成できる。
【００２７】
また本発明の天井扇の他の手段は、前記紫外線照射手段に紫外線を発光するＬＥＤを使用する構成としたものである。
【００２８】
この手段により従来の蛍光灯形状であった照射手段をコンパクトに設置し、直線性を活かして必要箇所だけ紫外線を照射するとことが可能な天井扇を構成できる。
【００２９】
また本発明の天井扇の他の手段は、紫外線を吸収して発光する支持体、ファン、ケーシングを備えた構成としたものである。
【００３０】
この手段により紫外線を吸収して発光し、視覚的に紫外線が照射されていることを確認することが可能な天井扇を構成できる。
【発明の効果】
【００３１】
本発明では、室内の天井から吊り下げられた支持体と、前記支持体を軸に回転可能なファンモーターと、紫外線を照射する紫外線照射手段を備えた天井扇であり、前記ファンモーターの運転によって循環される室内の空気を前記紫外線照射手段から照射される紫外線によって殺菌することにより、室内全体の空気殺菌を行うことができる。
【発明を実施するための最良の形態】
【００３２】
本発明の請求項１記載の天井扇は、室内の天井から吊り下げられた支持体と、前記支持体を軸に回転可能なファンモーターと、紫外線を照射する紫外線照射手段を備えた天井扇であり、前記ファンモーターの運転によって循環される室内の空気を前記紫外線照射手段から照射される紫外線によって殺菌することにより室内全体の空気殺菌を行うものである。
【００３３】
この発明では、ファンモーターを運転し、室内の空気がファンを通じて循環している状態において、ファンを通過する前後で紫外線を照射し空気殺菌を行う。その結果、室内の空気中に含まれるカビや細菌、ウイルスは空気中で紫外線殺菌され、衛生的な室内環境を作り出すことが可能である。
【００３４】
請求項２記載の発明は、前記紫外線照射手段は天井面に向かって紫外線を照射することを特徴とした請求項１記載の天井扇である。
【００３５】
この発明では、紫外線照射手段は天井面に向けられて、紫外線は支持体とファンモーターと上層に溜まった空気に対して照射される。その結果、室内上層に溜まった空気やファンを通過する空気だけでなく、支持体やファンモーターに対しても紫外線殺菌を行うことが可能である。
【００３６】
請求項３記載の発明は、人検知手段を備え、室内に人が入室している場合は紫外線照射を停止することを特徴した請求項１または２記載の天井扇である。
【００３７】
この発明では人を検知した場合は紫外線照射を停止することにより、室内の蛍光物質や紫外線吸収体が発光して人に不快感を与えることを防止することが可能である。
【００３８】
請求項４記載の発明は、前記紫外線照射手段はオゾン生成線とオゾンレス線を選択し照射することを特徴した請求項１、２または３記載の天井扇である。
【００３９】
この発明では紫外線を波長の長さによって区別し、それらを選択して照射することにより、状況に応じてオゾンの生成やオゾンの分解を行うことが可能である。
【００４０】
請求項５記載の発明は、紫外線照射によってオゾンを発生させて室内に循環させることを特徴とした請求項１、２、３または４記載の天井扇である。
【００４１】
この発明ではオゾンを生成して室内に循環させることで、オゾンの酸化作用を室内の隅々に行き届かせることができる。その結果、オゾンによる室内の脱臭効果、虫の駆除等を行うことが可能である。
【００４２】
請求項６記載の発明は、室内に人が入室していないと判断した場合はオゾンを発生させて室内全体に行き渡すことを特徴とした請求項１、２、３、４または５記載の天井扇である。
【００４３】
この発明では人の侵入を常時監視可能なセキュリティーシステム等と連動し、室内に人が入室しないと判断できる場合はオゾンを発生させて室内の殺菌と脱臭を行うものである。オゾンによる脱臭効果は長時間室内にオゾンを万延させることにより確実な脱臭効果が得られる。
【００４４】
請求項７記載の発明は、室内の空気中にオゾンを検出した場合はオゾンレス線を照射することを特徴とする請求項１、２、３、４、５または６記載の天井扇である。
【００４５】
この発明ではオゾンを分解可能なオゾンレス線により室内のオゾンを取り除くことが可能であり、万延させたオゾンを分解し、素早くオゾン臭を取り除くことが可能である。
【００４６】
請求項８記載の発明は、ファンモーターの回転数を制御し、空気に触れる紫外線照射量を調整することを特徴した請求項１、２、３、４、５、６または７記載の天井扇である。
【００４７】
この発明ではファンモーターの回転数を調整することにより循環する空気の流速を制御し紫外線の照射量を調整することを目的としている。空気に対する紫外線の照射量を増減することにより、確実な殺菌や素早いオゾン分解を行うことが可能である。
【００４８】
請求項９記載の発明は、光触媒を塗布した支持体、ファン、ケーシングを備えたことを特徴とする請求項項１、２、３、４、５、６、７または８記載の天井扇である。
【００４９】
この発明では支持体、ファン、ケーシングに光触媒を塗布し、紫外線を照射することによりその触媒を活性化させ、支持体、ファン、ケーシングの抗菌、除菌を行うことを目的としている。天井扇のメンテナンスや掃除が不要になるといった効果を得ることができる。
【００５０】
請求項１０記載の発明は、ガス検知手段を備え、室内のカビやほこり、有害な気体を検知した場合は紫外線を照射することを特徴とする請求項１、２、３、４、５、６、７、８または９記載の天井扇である。
【００５１】
この手段により空気中の舞う菌やカビ、またホルムアルデヒトと言った有害な気体をガス検知手段により検出することが可能であり、それらの殺菌を行うことによりシックハウス対策やホルムアルデヒト対策を行うことが可能である。
【００５２】
請求項１１記載の発明は、前記紫外線照射手段は紫外線を発光するＬＥＤであることを特徴とする請求項１、２、３、４、５、６、７、８、９または１０記載の天井扇である。
【００５３】
この発明では、従来の蛍光灯形状であった照射手段がＬＥＤになることで、場所をとらずコンパクトに設置が可能である。またＬＥＤの直線性を活かし、殺菌や抗菌が必要な箇所だけに紫外線をスポット照射すること可能な天井扇を実現できる。
【００５４】
請求項１２記載の発明は、紫外線を吸収して発光する支持体、ファン、ケーシングを備えたことを特徴とする請求項１、２、３、４、５、６、７、８、９、１０または１１記載の天井扇とである。
【００５５】
この発明では紫外領域の光を吸収して可視領域の光を発する蛍光物質を使用した支持体、ファン、ケーシングであり、紫外線が照射されていることを視覚的に確認することが可能な天井扇を実現できる。
【００５６】
以下、本発明の実施の形態について図１〜図５を参照しながら説明する。
【００５７】
（実施の形態１）
図１〜図４に示すように、天井には天井扇ユニット８がとりつけられている。天井扇ユニット８は空気を循環させる羽１を備えたファンモーターユニット３と、紫外線照射手段としての紫外線を照射可能な低圧水銀灯ランプユニット４と、低圧水銀灯ランプユニット４から照射される紫外線を効率よく反射する反射板５と、赤外線によって人体を検出する人感センサー１０と、それら全てを支えるための支持体２によって構成されている。ファンモーターユニット３のケーシング内部には制御部１９を搭載した制御回路ユニット１７がはめ込まれており、制御部１９ではモーター制御、人体検出、スイッチ操作の受け付け等の判断を行っている。
【００５８】
反射板５は湾曲したお椀形状で低圧水銀灯ランプユニット４を覆っており、低圧水銀灯ランプユニット４から照射される紫外線は反射板５によって反射され、常に天井面に指向される。また天井面には紫外線吸着膜を塗布した吸収板９が紫外線６の照射域に取り付けられており、吸収板９によって紫外線６は吸収される構造となっている。
【００５９】
また室内の壁には天井扇ユニット８を操作する天井扇操作スイッチ１２が取り付けられており、電源の入切を行う入スイッチ１３、切スイッチ１４、ファンモーターユニット３の連続運転を行う循環スイッチ１６、清浄モードに移行する清浄スイッチ１５とから構成されている。ここで清浄モードとは、ファンモーターユニット３の運転によって循環する空気７に対して紫外線照射を行い空気中の細菌やウイルスを殺菌するモードである。
【００６０】
使用者が室内の空気を循環させたい場合は、上記天井扇操作スイッチ１２を使用してまず入スイッチ１３を押して天井扇ユニット８の電源を投入し、次に循環スイッチ１６を押すことによってファンモーターユニット３の運転を行うことができる。
【００６１】
また使用者が清浄モードを使用したい場合は、入スイッチ１３を押してから清浄スイッチ１５を押すことによって実現するが、この清浄モードは、人検知手段としての人感センサー１０が室内の人体を検出している間は、吸収板９や室内の蛍光物質、紫外線吸収体の発光による不快感を与えないよう紫外線の照射は行わず待機状態となる。そして人が室内から退出し、人検知手段としての人感センサー１０によって室内に人体がいないと制御部１９が判断したときに、初めて低圧水銀灯ランプユニット４とファンモーターユニット３の運転が開始される。この低圧水銀灯ランプユニット４から照射される紫外線６によって循環する空気７に含まれる細菌、ウイルス、カビ、ダニなどは殺菌される。室内の空気は紫外線照射を受けながら循環することにより、室内全体の空気殺菌が行われることになる。
【００６２】
本実施の形態１について図５に示すフローチャートで動作を説明する。人感センサー１０としては、人が検知できれば良く、例えば、焦電型赤外線センサーなどがある。
【００６３】
まず、ステップ２０で使用者によって天井扇操作スイッチ１２が操作行われると、ステップ２１で循環スイッチ１６が操作されたのか、清浄スイッチ１５が操作されたのか制御部１９で判断を行う。ここで循環スイッチ１６の操作であれば、ステップ２２でファンモーターユニット３を駆動し室内空気の循環を行う。またステップ２１で清浄スイッチ１５の操作があればステップ２３で清浄モードに確定し、ステップ２４で室内に人が存在しないか検出を行う。ここで、室内に人が存在する場合はステップ２５で待機モードとなり、循環スイッチ１６が操作されるかもしくは人体の検出がなくなるまで待機状態を維持する。
【００６４】
ステップ２４で人体の検出がなければ、ステップ２６でファンモーターユニット３を駆動し、ステップ２７で低圧水銀灯ランプユニット４からの紫外線照射を開始する。また紫外線照射を開始した後に人体の検出があった場合は、ステップ２５の待機モードへ移行する。
【００６５】
本発明の実施の形態１の天井扇は上記に示す構成と図５のフローチャートに示す基本的な動作によって、室内全体をくまなく空気殺菌を行うことが実現できる。
【００６６】
上記構成において羽１、ファンモーターユニット３、支持体２については、酸化チタンなど紫外線によって活性化する光触媒を塗布する構成とすれば、それ自体の撥水効果や脱臭、抗菌性を維持できるため、メンテナンスフリーといった効果が期待できる。
【００６７】
またホルムアルデヒトセンサーを人感センサー１０と併用し、室内に浮遊するホルムアルデヒトを検出した際には光触媒塗布部位に紫外線を照射する構成とすれば、人体に有害なホルムアルデヒトを無害化するといった効果も期待できる。
【００６８】
また本発明では紫外線照射に低圧水銀灯ランプユニット４を使用したが、キセノンフラッシュランプに置き換えて空気殺菌を行う構成としても同様の効果が期待できる。
【００６９】
（実施の形態２）
実施の形態１と同一部分は同一番号を付し、詳細な説明は省略する。図６〜図１０に、本発明の実施の形態２の天井扇について示す。
【００７０】
図６〜図８に示すように天井扇ユニット３１は、酸化チタンを含有する石英ガラスを使用したオゾンレスランプ２９と、天然石英ガラスを使用した酸化オゾンランプ３０と、ファンモーター３のケーシング内に制御部３３を搭載した制御ユニット３２と、最下端部にはセンサーユニット２８を備えており、工場のクリーンルームや衛生管理が必要な薬品倉庫、研究室等の天井に取り付けられる。
【００７１】
オゾンレスランプ２９は殺菌として効果がある２４０ｎｍ〜２６０ｎｍの波長の紫外線照射が可能であり、また酸化オゾンランプ３０はオゾン生成に作用する１８０ｎｍ〜２００ｎｍの波長の紫外線を照射可能である。
【００７２】
また室外には天井扇ユニット３１を操作する天井扇操作スイッチ３４が取り付けられており、電源の切スイッチ３５、ファンモーターユニット３の連続運転を行う循環スイッチ３６、清浄モードに移行する清浄スイッチ３７、室内の脱臭や害虫の駆除等を行うクリーンモード３８に以降するクリーンスイッチ３９、クリーンモード３８の運転時間を決定するタイマー４０から構成されている。上記の清浄スイッチ３７とクリーンスイッチ３９は天井扇ユニット３１が取り付けられた室内の扉が閉じられていないときは操作無効であり、扉を閉じることによって始めて操作が有効となる。ここで扉の開閉検知については室内の扉に取り付けられたリミットスイッチ４２からの信号で判断を行うものとする。
【００７３】
またセンサーユニット２８は室内の人体を検出する人感センサー１０と空気中に含まれるオゾンを検出可能な光学センサー４１が一体となっている。
【００７４】
清浄モードとはファンモーターユニット３の運転によって循環する空気７に対し、オゾンレスランプ２９による紫外線照射を行うモードである。またクリーンモード３８とは、酸化オゾンランプ３０によりオゾンを生成して循環し、室内の脱臭や害虫の駆除等を行うモードである。クリーンモード３８はオゾン臭による不快感を与える可能性があるため、室内に人が入室しないことを前提としており、タイマー４０による運転時間の設定と、室内に人がいないことが確認されて初めて運転が可能となる。またタイマー４０で設定された時間の半分が経過すると、酸化オゾンランプ３０の照射を停止して代わりにオゾンレスランプ２９の照射を行い、空気中のオゾン分解を行う。そして、設定されたタイマーの残り時間がゼロになると紫外線の照射を停止し循環モードへと移行する。
【００７５】
もし、清浄モードやクリーンモード設定時に室内の扉が開いたり、人感センサー１０による人体の検知が行われたり、切スイッチ３５が操作された場合は、紫外線の照射を停止してファンモーターユニット３だけを運転し、光学センサー４１によるオゾン検出が消えるまで室内の空気を循環する。
【００７６】
天井扇ユニット３１の動作について図９、図１０のフローチャートに基づいて説明する。
【００７７】
ＳＴＥＰ５０から開始し、まずＳＴＥＰ５１で切スイッチ３５が操作されたどうか確認し、切操作があったと制御部３３が判断すれば、次にＳＴＥＰ５２で清浄モード中かクリーンモード中であるかどうか確認を行う。ＳＴＥＰ５２では、清浄モードかクリーンモードで天井扇ユニット３１が運転中であれば、ＳＴＥＰ５３で照射中の紫外線を停止させ、ＳＴＥＰ５４でファンモーターユニット３だけの運転を継続する。ここで、ファンモーターユニット３は光学センサー４１による室内のオゾン検知が消えるまで運転を続ける。またＳＴＥＰ５２では、清浄モードもしくはクリーンモードで運転中でなければ、ＳＴＥＰ５５でファンモーターユニット３の停止を行い待機状態へ移行するものとする。
【００７８】
また次にＳＴＥＰ５６で循環スイッチ３６が操作されたと判断すれば、ＳＴＥＰ５７ではファンモーターユニット３の運転を開始し循環モードとなる。
【００７９】
また切スイッチ３５もしくは循環スイッチ３６以外が操作された場合は、ＳＴＥＰ５８で部屋の扉が閉じられているか確認し、扉が開かれていると判断した場合はＳＴＥＰ５９で切スイッチ３５と循環スイッチ３６以外の操作は無効とし、またもしその時点で紫外線の照射が行われていた場合は、ＳＴＥＰ６０においてその照射を停止し、ＳＴＥＰ６１でファンモーターユニット３の運転だけを継続する。ＳＴＥＰ６１の継続運転は室内のオゾン検知が消えるまで運転を続ける。
【００８０】
またＳＴＥＰ５８で扉が閉じられていると判断し、次にＳＴＥＰ６２で清浄スイッチ３７が操作されたと判断した場合は、ＳＴＥＰ６３において人感センサー１０によって室内に人体が検知されていないか確認する。ここで人体が検知されていると判断した場合は、その時点で紫外線照射を行っていればＳＴＥＰ６４でその照射を停止し、ＳＴＥＰ６５においてファンモーターユニット３の運転だけを継続する。ＳＴＥＰ６５の継続運転は室内のオゾン検知が消えるまで運転を続ける。
【００８１】
またＳＴＥＰ６３で人体の検出がなかった場合はＳＴＥＰ６６でファンモーターユニット３の運転を開始し、ＳＴＥＰ６７でオゾンレスランプ２９の照射を開始する。このオゾンレスランプ２９の照射とファンモーターユニット３による室内空気の循環によって、室内全体の空気中に含まれるウイルスやカビは紫外線殺菌が行われる。
【００８２】
次にＳＴＥＰ６２からＳＴＥＰ６９においてクリーンスイッチ３９の操作が確定された場合は、ＳＴＥＰ６９でクリーンモード３８の運転時間がタイマー４０によって設定されているかどうか確認を行う。ここでタイマー４０が操作されていなかった場合は、その時点で紫外線の照射が行われていた場合はＳＴＥＰ７０でその照射を停止し、ＳＴＥＰ７１においてファンモーターユニット３の運転だけを継続する。ＳＴＥＰ７１の継続運転は室内のオゾン検知が消えるまで運転を続ける。
【００８３】
またＳＴＥＰ６９でタイマー４０が操作され運転時間が設定された場合は、ＳＴＥＰ７２で室内に人体検知がないか確認を行う。ＳＴＥＰ７２で室内に人体が検出された場合はＳＴＥＰ７３で全ての紫外線の照射を停止し、ＳＴＥＰ７４においてファンモーターユニット３の運転だけを継続する。ＳＴＥＰ７４の継続運転は室内のオゾン検知が消えるまで運転を続ける。
【００８４】
またＳＴＥＰ７２で室内に人体が検出されなかった場合はＳＴＥＰ７５でクリーンモード３８が確定するが、この時クリーンモード３８がすでに開始されていたかどうか確認を行う。ここで、クリーンモード３８が開始初めであると判断した場合はＳＴＥＰ７６でＳＴＥＰ６９のタイマー４０により設定されたクリーンモード３８の運転時間を初期設定時間として確定する。
【００８５】
そしてＳＴＥＰ７７では酸化オゾンランプ３０によるオゾン生成が開始し、ＳＴＥＰ７９でファンモーターユニット３の運転を開始する。ここで酸化オゾンランプによって発生したオゾンは、ファンによって室内にくまなく循環され、室内の殺菌と脱臭を行う。
【００８６】
またもしＳＴＥＰ７５でクリーンモード３８が既に行われていたと判断した場合は、ＳＴＥＰ７９においてＳＴＥＰ７６で確定した初期設定時間に対して変更があったかどうか確認を行い、もし初期設定時間がタイマー４０によって変更されていた場合は運転終了時間の修正を行う。そして次にその時点での照射中のランプを確認し、もしＳＴＥＰ７９で運転終了時間が短くなった場合は照射中のランプをオゾンレスランプ２９に変更し、ＳＴＥＰ８２でファンモーターユニット３の回転数を上げる。このＳＴＥＰ８０〜ＳＴＥＰ８２の動作フローについては、短くなった終了予定時間に間に合わせるために空気中に循環しているオゾンを素早く分解するためであり、ＳＴＥＰ８２ではファンの回転数を上げてできるだけ多くの空気にオゾンレスランプを照射しオゾンの分解を促進する。
【００８７】
もしＳＴＥＰ７９で運転終了時間が長くなった場合はＳＴＥＰ９１、ＳＴＥＰ９２でのランプ、ファンの回転数の変更は行わないものとする。
【００８８】
またＳＴＥＰ７９でＳＴＥＰ７６とＳＴＥＰ８０で確定した初期設定時間に変更がなかった場合はＳＴＥＰ８３で初期設定時間に対し半分の時間が経過したかどうか確認し、半分が経過した場合は照射ランプをオゾンレスランプ２９に変更する。またＳＴＥＰ８５でファンモーターユニット３の回転数を上げて空気循環を早くし、できるだけ多くの空気にオゾンレスランプ２９の照射を行いオゾンの分解を促進する。
【００８９】
またＳＴＥＰ８３で初期設定時間に対し半時間経過していなかった場合は、ＳＴＥＰ８６でその時点の運転継続を確定する。
【００９０】
本発明の実施の形態２の天井扇は上記に示すように、オゾンレスランプ２９と酸化オゾンランプ３０を備えたことにより、紫外線による空気殺菌とオゾンによる室内脱臭が可能である。
【００９１】
また、紫外線照射中にファンモーターユニット３の回転数を変更することにより紫外線の照射量を調整し、オゾンの分解を早めたり、殺菌作用を高めることが可能である。
【産業上の利用可能性】
【００９２】
本発明の天井扇は、カビやウイルスといった物質を殺菌可能なことから薬品や化学物質を扱うクリーンルームや実験室、また病院の手術室などの洗浄に利用が見込める。
【図面の簡単な説明】
【００９３】
【図１】本発明の実施の形態１の天井扇を示す図
【図２】同天井扇の取り付け構成を示す図
【図３】同天井扇のスイッチ構成を示す図
【図４】同天井扇の構成を示すブロック図
【図５】同天井扇の動作を示すフローチャート
【図６】同実施の形態２の天井扇を示す図
【図７】同スイッチ構成を示す図
【図８】同天井扇の構成を示すブロック図
【図９】同天井扇の動作を示すフローチャート
【図１０】同天井扇のクリーンモード動作を示すフローチャート
【図１１】従来技術の空調システムを示す構成図
【符号の説明】
【００９４】
１    羽
２    支持体
３    ファンモーターユニット
４    低圧水銀灯ランプユニット
５    反射板
６    紫外線
７    循環する空気
８    天井扇ユニット
９    吸収板
１０  人感センサー
１１  ファンモーターユニット
１２  天井扇操作スイッチ
１３  入スイッチ
１４  切スイッチ
１５  清浄スイッチ
１６  循環スイッチ
１７  制御回路ユニット
【図１】
2007232323.tif 000003
【図２】
2007232323.tif 000004
【図３】
2007232323.tif 000005
【図４】
2007232323.tif 000006
【図５】
2007232323.tif 000007
【図６】
2007232323.tif 000008
【図７】
2007232323.tif 000009
【図８】
2007232323.tif 000010
【図９】
2007232323.tif 000011
【図１０】
2007232323.tif 000012
【図１１】
2007232323.tif 000013